(57)【要約】【課題】透光パネルが燃焼して溶解した際にも溶解物が外側へ流出する事故を防止することができる透光パネルの下枠構造を提供する。【解決手段】透光性を有する透光板Ｇ１が嵌め込まれた透光パネル１の下枠構造でにおいて、透光パネル１の下枠５の外側面から水平方向外側に張り出して透光板Ｇ１の一部又は全部が溶解した際の溶解物の枠外への流出を防止する張出部材８を設ける。また、張出部材８を下枠５と別体に構成して、下枠５に後付け可能とする。【選択図】図５
2020100977.tif 000002
【特許請求の範囲】
【請求項１】
透光性を有する透光板が嵌め込まれた透光パネルの下枠構造であって、
前記透光パネルの下枠の外側の面から水平方向外側に張り出して前記透光板の一部又は全部が溶解した際の溶解物の枠外への流出を防止する張出部材を有していること
を特徴とする透光パネルの下枠構造。
【請求項２】
前記張出部材は、前記下枠と別体に構成され、前記下枠に後付け可能となっていること
を特徴とする請求項１に記載の透光パネルの下枠構造。
【請求項３】
前記張出部材は、前記下枠に嵌合構造によって嵌め込み可能となっていること
を特徴とする請求項２に記載の透光パネルの下枠構造。
【請求項４】
前記張出部材は、前記下枠の長手方向に沿って上面から上方に突出する凸条を１箇所以上有すること
を特徴とする請求項１乃至３の何れかに記載の透光パネルの下枠構造。
【請求項５】
前記凸条は、前記下枠から外側に一定距離離間して設けられていること
を特徴とする請求項４に記載の透光パネルの下枠構造。
【請求項６】
前記張出部材の上面の前記凸条の内側に形成された前記溶解物を貯留する溶解物受け部は、平坦面からなること
を特徴とする請求項５に記載の透光パネルの下枠構造。
【請求項７】
前記張出部材の前記下枠と接続する上面は、前記下枠の上面と同じ高さかそれより低い位置に設けられていること
を特徴とする請求項１乃至６の何れかに記載の透光パネルの下枠構造。
【請求項８】
前記張出部材には、長手方向の端面を塞ぐ部材を止め付けるビスホールが形成されていること
を特徴とする請求項１乃至７の何れかに記載の透光パネルの下枠構造。
【発明の詳細な説明】
【技術分野】
【０００１】
本発明は、道路や鉄道に沿って設置され、騒音の伝播を防止するとともに透光性を有して道路や鉄道の内側から外側が視認可能な透光パネルの下枠構造に関し、詳しくは、透光パネルが燃焼して溶解した際にも溶解物が枠外へ流出する事故を防止することができる透光パネルの下枠構造に関するものである。
【背景技術】
【０００２】
従来、道路や鉄道に沿って設置され、自動車や列車などの車両から発生する騒音の伝播を防止する遮音壁が設置されている。また、このような遮音壁には、車両等が走行する壁の内側から外側を視認可能とするために、樹脂ガラスや無機ガラスなどの透光性を有する透光パネルが嵌め込まれた遮音壁も知られている。
【０００３】
しかし、図１１に示すように、従来の透光パネルの下枠構造は、下枠の上面が平らなものであった。このため、図１２に示すように、透光パネルが燃焼して透光板が溶解した際には、溶解物が外側（橋梁などの土木構造物の外側で透光パネルを隔てて道路や鉄道に面していない側、一般に民地となる側、以下同じ）へ流出・落下して人的被害の発生や民地の建物への延焼するおそれがあるという問題があった。
【０００４】
例えば、特許文献１には、合成樹脂製の透光性パネル２の横方向端部を支持させ、上下方向端部を横部材３で画した形式の遮音壁における前記透光性パネル２の板厚方向表面の近傍に沿って、格子状をなし端部が透光性パネル２近傍の縦部材１と横部材に支持された耐火線条物５製のパネル燃焼時落下防止装置４を付設した透光型遮音壁が開示されている（特許文献１の特許請求の範囲の請求項１、明細書の段落［００１１］〜［００２６］、図面の図１、図８等参照）。
【０００５】
しかし、特許文献１に記載の透光型遮音壁は、車両事故等で火災が発生して、火災の熱で軟化した透光性パネル２が外側（民地側）に落下しないように耐火線条物（ワイヤーロープ）５で受け止めるというものである。このため、合成樹脂製の透光性パネル２が溶解した溶解物が外側（民地側）へ流出して、下方を通行する者へ人的被害が発生することを確実に防止できるものではなかった。
【０００６】
また、特許文献２には、遮音性を有する面板と、面板を支持する少なくとも下枠材とを備えたパネルであって、前記下枠材の上面に面板表面を流下してきた雨水を受ける雨水受け溝が形成されている防音パネルが開示されている（特許文献２の特許請求の範囲の請求項２、明細書の段落［００１６］〜［００２３］、図面の図２、図３等参照）。
【０００７】
しかし、特許文献２に記載の防音パネルは、下枠材の表面に光触媒含有層を設けることによりセルフクリーニングを行うことを主眼とするものであり、透光板（透光パネル）が燃焼して溶解した溶解物を受け止めることは想定されていなかった。つまり、前述の車両事故等で透光パネルが燃焼して透光板が溶解した溶解物が外側へ落下する事故を防止することは考慮されていなかった。また、これらことが考慮されていない幅の狭い雨水受け溝１１では、粘性の高い透光板の溶解物を受け止めて外側へ落下することを防止できないという問題は解決されていなかった。
【０００８】
また、特許文献３には、防音パネル１０の上部に設けられ、上方の遮蔽物より外側に張り出された樋状の雨受け部１によって集められた雨水が、内側及び／又は外側の面上に導かれることで、遮音壁の上方に遮蔽物が存在し、直接当たる雨水が期待できない状況においても最上段の防音パネル１０ａの内側の面を前記雨水にて洗浄でき、汚染物質を洗い流して透視性を保持することができる防音パネルの洗浄構造が開示されている（特許文献３の特許請求の範囲の請求項１、明細書の段落［００１６］〜［００２３］、図面の図２、図３等参照）。
【０００９】
しかし、特許文献３に記載の防音パネルの洗浄構造は、汚染物質を洗い流して透視性を保持するための洗浄構造であり、枠材から外側に張り出した張出部材（雨受け部１）が設けられているものの、上枠から外側に張り出した張出部材であった。このため、特許文献３に記載の防音パネルの張出部材（雨受け部１）は、透光パネル（防音パネル）が燃焼して透光板が溶解した際の溶解物を受け止めることはできないものであった。
【先行技術文献】
【特許文献】
【００１０】
【特許文献１】特開２００４−２７０２６２号公報
【特許文献２】特開２００４−２０４６２０号公報
【特許文献２】特開２００４−５２２３１号公報
【発明の概要】
【発明が解決しようとする課題】
【００１１】
そこで、本発明は、前述した問題に鑑みて案出されたものであり、その目的とするところは、透光パネルが燃焼して溶解した際にも溶解物が外側へ流出する事故を防止することができる透光パネルの下枠構造を提供することにある。
【課題を解決するための手段】
【００１２】
第１発明に係る透光パネルの下枠構造は、透光性を有する透光板が嵌め込まれた透光パネルの下枠構造であって、前記透光パネルの下枠の外側面から水平方向外側に張り出して前記透光板の一部又は全部が溶解した際の溶解物の枠外への流出を防止する張出部材を有していることを特徴とする。
【００１３】
第２発明に係る透光パネルの下枠構造は、第１発明において、前記張出部材は、前記下枠と別体に構成され、前記下枠に後付け可能となっていることを特徴とする。
【００１４】
第３発明に係る透光パネルの下枠構造は、第２発明において、前記張出部材は、前記下枠に嵌合構造によって嵌め込み可能となっていることを特徴とする。
【００１５】
第４発明に係る透光パネルの下枠構造は、第１発明乃至第３発明の何れかにおいて、前記張出部材は、前記下枠の長手方向に沿って上面から上方に突出する凸条を１箇所以上有することを特徴とする。
【００１６】
第５発明に係る透光パネルの下枠構造は、第４発明において、前記凸条は、前記下枠から外側に一定距離離間して設けられていることを特徴とする。
【００１７】
第６発明に係る透光パネルの下枠構造は、第５発明において、前記張出部材の上面の前記凸条の内側に形成された前記溶解物を貯留する溶解物受け部は、平坦面からなることを特徴とする。
【００１８】
第７発明に係る透光パネルの下枠構造は、第１発明乃至第６発明の何れかにおいて、前記張出部材の前記下枠と接続する上面は、前記下枠の上面と同じ高さかそれより低い位置に設けられていることを特徴とする。
【００１９】
第８発明に係る透光パネルの下枠構造は、第１発明乃至第７発明の何れかにおいて、前記張出部材には、長手方向の端面を塞ぐ部材を止め付けるビスホールが形成されていることを特徴とする。
【発明の効果】
【００２０】
第１発明〜第８発明によれば、張出部材により比較的粘性の高い流動物である樹脂板や樹脂フィルムなどの樹脂材の溶解物を貯留して、外側へ流出することを防止することができる。このため、車両事故等により透光パネルが燃焼した際にも、人的被害や延焼するおそれのある透光板の溶解物が外側へ流出する事故を防止することができる。
【００２１】
特に、第２発明によれば、現地で張出部材を後付け設置することができるため、設置場所への運搬時などの透光パネルを平積みした時に、枠体から外側へ張り出した張出部材が邪魔にならない。また、立体交差部分や民地近接地域など溶解物対策が必要な個所だけに、下方や近隣状況を確認しつつ張出部材を設けることができて経済的である。
【００２２】
特に、第３発明によれば、機械的な嵌合構造で固定されているため、ボルトやリベットが経年劣化しても、張出部材の脱落のおそれが極めて少ない。また、ボルトの孔同士の位置合わせと比べて位置合わせが容易で、仮置きもできるため、一人で効率よく短時間で取付作業を行うことができる。
【００２３】
特に、第４発明によれば、上面から上方に突出する凸条を有しているので、樹脂材の溶解物の外側への流出を堰き止めて溶解物を冷まして流動性を失わせ、溶解物の流出事故を確実に防止することができる。また、凸条により張出部材に溜まった雪の落雪も防止することができる。
【００２４】
特に、第５発明によれば、流動性が低く粘性の高い樹脂材の溶解物の流出を防止できるとともに、それより流動性が高く粘性の低い雨水や雪解け水を張出部材の長手方向端部から排水することができる。
【００２５】
特に、第６発明によれば、砂や飛来粉塵が風で飛ばされるため、張出部材上に粉塵等が溜まりにくいだけでなく、雨水や雪解け水を溜めることなく張出部材の長手方向端部から排水することができる。
【００２６】
特に、第７発明によれば、砂や飛来粉塵が張出部材で堰き止められることがなく、溜まりにくいだけでなく、雨水や雪解け水を溜めることなく張出部材の長手方向端部から排水することができる。
【００２７】
特に、第８発明によれば、張出部材の長手方向の端部を側面パネル（側面塞ぎ板）でビス止めするだけで簡単に短時間で塞ぐことができる。また、側面パネルを設けることにより、端面で発生する風切音を防止することができるとともに、端面の内部を隠すことができ、見栄えが良くなる。
【図面の簡単な説明】
【００２８】
【図１】本発明の第１実施形態に係る透光パネルを示す正面図である。
【図２】同上の透光パネルを示す平面図である。
【図３】同上の透光パネルを示す右側面図である。
【図４】透光パネルの一部を省略して示す図１のＡ−Ａ線切断部分拡大端面図である。
【図５】透光パネルの一部を省略して示す図１のＢ−Ｂ線切断部分拡大断面図である。
【図６】同上の透光パネルの下枠構造を示す図３のＣ部拡大右側面図である。
【図７】同上の透光パネルの下枠構造の張出部材の下枠への取付作業の作業ステップを示す工程説明図であり、（ａ）がスライド嵌合ステップを示し、（ｂ）がボルト装着ステップを示している。図７（ｃ）は、凸条の変形例を示す図５に相当する部分拡大断面図である。
【図８】本発明の第２実施形態に係る透光パネルの下枠構造を示す部分拡大鉛直端面図である。
【図９】本発明の第３実施形態に係る透光パネルの下枠構造を示す部分拡大鉛直端面図である。
【図１０】本発明の第４実施形態に係る透光パネルの下枠構造を示す部分拡大鉛直端面図である。
【図１１】従来の透光パネルの下枠構造を主に示す部分拡大鉛直端面図である。
【図１２】透光パネルのバーナー燃焼試験を示す写真である。
【発明を実施するための形態】
【００２９】
以下、本発明の実施形態に係る透光パネルの下枠構造について、図面を参照しながら詳細に説明する。
【００３０】
［第１実施形態］
先ず、図１〜図７を用いて、本発明の第１実施形態に係る透光パネルの下枠構造について説明する。図１は、第１実施形態に係る透光パネルを示す正面図であり、図２は、その平面図、図３は、右側面図である。また、図４は、透光パネルの一部を省略して示す図１のＡ−Ａ線切断部分拡大端面図であり、図５は、透光パネルの一部を省略して示す図１のＢ−Ｂ線切断部分拡大断面図である。ここで、正面とは、騒音の発生源である道路又は鉄道側（以下、内側という）から見て透光板の板面に対して垂直且つ水平に見た状態を指している。
【００３１】
図１〜図５に示すように、本実施形態に係る透光パネル１は、透光板Ｇ１と、この透光板Ｇ１が嵌め込まれた枠体であるパネル枠２など、から主に構成されている。この透光パネル１は、道路又は鉄道に沿って立設されたＨ形鋼などからなる支柱Ｈ（図４参照）に取り付けられ、自動車や列車などの車両から発生する騒音の伝播を防止する遮音壁として用いられる。また、透光パネル１は、透光板Ｇ１が透光性を有しており、内側から見て壁の向こう側（外側）が視認可能となっている。
【００３２】
＜透光板＞
本実施形態に係る透光板Ｇ１は、ポリカーボネイト、アクリル樹脂、イソソルバイド（イソソルビド）を主原料としたバイオエンジニアリングプラスチックなどの樹脂ガラスからなる。但し、樹脂ガラスではなく、化学強化ガラス間に樹脂フィルムを介装した化学強化合わせガラスや一般的なフロートガラスなどからなる無機ガラスの外側に樹脂フィルム等が貼着されている場合も本発明を適用することができる。要するに、本発明は、車両事故等により透光パネルが燃焼した際に透光板の一部又は全部が溶解して外側へ流出するおそれがある透光パネルには適用することができる。
【００３３】
＜パネル枠＞
パネル枠２は、押し出し成形されたアルミ合金からなるアルマイト製の枠体であり、図１〜図５に示すように、左右一対の縦枠３，３と、これらの縦枠３，３の上端及び下端に架け渡された上枠４及び下枠５など、から構成されている。
【００３４】
図４，図５に示すように、本実施形態に係るパネル枠２は、樹脂ガラスからなる透光板Ｇ１を支持するために、縦枠３、上枠４、及び下枠５に押縁６が嵌着され、これらの押縁６で透光板Ｇ１の四周の縁が内側から押さえ止められて固定されている。
【００３５】
（縦枠）
図４に示すように、縦枠３は、支柱Ｈに固定されている。
【００３６】
縦枠３に押縁６が装着された上、透光板Ｇ１が縦枠３，３間に嵌め込まれている。なお、押縁６には、透光板Ｇ１と当接する部分には、シリコン樹脂などのゴム弾性体からなるガスケットＧｅが装着されている。
【００３７】
（上枠）
上枠４は、図５に示すように、鉛直断面が概略矩形状で上部中央が長手方向に沿って窪んだ条材である上枠本体４０からなり、この上枠本体４０の下面の内側寄りに透光板Ｇ１を装着する透光板装着溝４１が形成されている。なお、符号４２は、透光板として耐衝撃性の低い無機ガラスを装着した場合に、割れないように弾性支持するためのガスケット装着溝４２である。図５に示すように、透光板Ｇ１が樹脂ガラスからなる場合は、ガスケット装着溝４２には、透光板Ｇ１の上辺部を掛け止めるボルトが装着されている。勿論、図１１に示すように、透光板Ｇ１は、ボルト止めするのではなく、セッティングブロックＳＢ上に載置してもよいことは云うまでもない。
【００３８】
（下枠）
図６は、透光パネル１の下枠５を主に示す図３のＣ部拡大端面図である。図５，図６に示すように、下枠５は、上枠４と同様に、鉛直断面が概略矩形状で下部中央が長手方向に沿って窪んだ条材である下枠本体５０からなり、この下枠本体５０の上面の内側寄りに透光板Ｇ１を装着する透光板装着溝５１が形成されている。なお、下枠５にも、上枠４と同様に、ガスケット装着溝５２が形成されている。
【００３９】
そして、図５、図６に示すように、下枠５には、後述の張出部材８を嵌め込む嵌合機構として、上面の外側角部に上方が開放された長手方向に沿った嵌合溝５６が形成されている。
【００４０】
（（張出部材））
次に、図５，図６を用いて、本発明の特徴部分である張出部材８について説明する。
図５，６に示すように、下枠本体５０の外側の縁には、下枠５の外側面から水平方向外側に張り出して透光板Ｇ１の一部又は全部が溶解した際の溶解物の枠外への流出を防止する張出部材８が設けられている。
【００４１】
この張出部材８は、図５に示すように、後付け可能とするため下枠５と別体として成形された部材であり、断面台形状の張出部材本体８０と、この張出部材本体８０の上面に形成された複数本の凸条８１，８１’と、を有している。また、張出部材本体８０には、内側の角部に形成された前述の嵌合溝５６と嵌合する嵌合爪８２と、張出部材本体８０に形成されたビスホール８３など、が形成されている。そして、図６に示すように、張出部材本体８０の長手方向の端面は、ビスホール８３で側面パネル８４がボルトＢ２でねじ止めされて塞がれている。このため、端面で発生する風切音を防止することができるとともに、端面の内部を隠すことができ見栄えが良くなる。なお、張出部材８は、下枠５と一体に形成されていてもよい。但し、下枠５と別体として後付け可能とすることで、透光パネル１を平積みした時に、パネル枠２から外側へ張り出した張出部材８が邪魔にならないようにすることができる。
【００４２】
（張出部材本体）
張出部材本体８０は、上面が略平らな平面状となっており、横長な断面台形状の本体から下方へボルト止め用のフランジ８０ａが突き出した形状となっている。また、張出部材本体８０は、一番内側の凸条８１のさらに内側の下枠５と接続する上面が溶解物を貯留する溶解物受け部８０ｂとなっている。
【００４３】
この溶解物受け部８０ｂは、平坦面からなり、下枠本体５０の上面と面一となっている。即ち、溶解物受け部８０ｂの平坦面の高さは、下枠本体５０の上面の高さと同じになるように、張出部材８が下枠５に装着されている。このため、雨水などの降水が段差で堰き止められて溜まることがなく、張出部材本体８０の端部から排水することができる。また、段差がなく面一となっているため、風等で飛ばされ易く張出部材８や下枠５に砂や飛来粉塵が溜まりにくい。
【００４４】
なお、張出部材８の下枠５と接続する上面は、面一となっているのではなく、下枠本体５０の上面より低い位置に装着されていてもよい。下がる方向に段差があっても、張出部材本体８０の端部から排水することは可能であるからである。
【００４５】
（凸条）
凸条８１は、張出部材本体８０の上面から上方へ２．５ｍｍ程度突出した長手方向に沿って形成された比較的高さの低いリブ状の部材であり、本実施形態では、４本の凸条８１，８１’が形成されている。但し、一番外側の凸条８１’は、鋭利な角で怪我をしないように、角が丸められた凸条となっている。また、図７（ｃ）に示すように、変形例として、一番外側の凸条８１’を１０ｍｍ程度に高くした凸条８１”として、その他上面には、凸条を設けずに平坦とする構成にしてもよい。
【００４６】
この凸条８１，８１’は、水より粘性の高い樹脂の溶解物の流動（移動）速度を遅らせて、その間に外気で冷却されることで溶解物を硬化させ、枠外へ流出しないようにする機能を有している。
【００４７】
また、凸条８１は、一番内側の凸条８１でも、下枠５から外側に一定距離離間して設けられており、その離間した張出部材本体８０の上面が、前述の平坦な溶解物受け部８０ｂとなっている。
【００４８】
（嵌合爪）
嵌合爪８２は、溶解物受け部８０ｂと面一で張出部材本体８０から内側へ突出するとともに、下向きに折れ曲がった形状となっており、上方が開放された前述の嵌合溝５６と嵌合して重力で落下しない嵌合構造を構成する。このため、ボルトやリベットなどの連結部材が経年劣化しても、張出部材８が脱落するおそれが極めて少ない。
【００４９】
図７は、張出部材８の下枠５への取付作業の作業ステップを示す工程説明図であり、（ａ）が、スライド嵌合ステップを示し、（ｂ）が、ボルト装着ステップを示す。張出部材８と下枠５を現地で取り付ける際は、図７（ａ）に示すように、先ず、張出部材８のフランジ８０ａを下枠５の外側面に当接させて下方へズラして嵌合爪８２を嵌合溝５６に嵌め合わせてスライド嵌合させる。次に、図７（ｂ）に示すように、嵌合爪８２を嵌合溝５６に嵌め合わせて仮置きした状態で、左右に張出部材８をズラして、下枠本体５０とフランジ８０ａの両者のボルト孔を合わせる。そして、下枠本体５０内に予め装着されたナットＮにボルトＢ１を挿通してボルト止めして張出部材８の下枠５への取付作業が完了する。
【００５０】
要するに、嵌合爪８２を嵌合溝５６に嵌め合わせるだけで、張出部材８の上下の位置合わせが完了し、仮置きもできる。このため、位置合わせが容易であり、一人で効率よく短時間で張出部材８の下枠５への取付作業を行うことができる。
【００５１】
以上説明した第１実施形態に係る透光パネル１の下枠構造によれば、下枠５の外側に張出部材８が設けられているので、比較的粘性の高い流動物である樹脂材の溶解物を張出部材８で一時的に貯留して、下枠５の外側へ流出することを防止することができる。このため、車両事故等により透光パネル１が燃焼した際にも、人的被害や延焼するおそれのある透光板Ｇ１の溶解物が外側へ流出する事故を防止することができる。
【００５２】
また、第１実施形態に係る透光パネル１の枠構造によれば、張出部材８が下枠５と別体で後付け可能な構成としたため、透光パネル１の設置場所で張出部材８を取り付けすることができる。このため、運搬時などの透光パネル１を平積みした時に、パネル枠２から外側へ張り出した張出部材８が邪魔にならない。また、立体交差部分や民地近接地域など溶解物対策が必要な個所だけに、下方や近隣状況を確認しつつ張出部材を設けることができて経済的である。
【００５３】
その上、第１実施形態に係る透光パネル１の枠構造によれば、張出部材８が下枠５に機械的な嵌合構造で固定されているため、ボルトやリベットが経年劣化しても、張出部材８の脱落のおそれが極めて少ない。また、ボルトの孔同士の位置合わせと比べて位置合わせが容易で、仮置きもできるため、一人で効率よく短時間で張出部材８の下枠５への取付作業を行うことができる。
【００５４】
それに加え、第１実施形態に係る透光パネル１の枠構造によれば、複数の凸条８１，８１’が設けられているので、樹脂材の溶解物の枠外への流出を遅延させて、溶解物を冷まして流動性を失わせ、溶解物の流出事故を確実に防止することができる。また、凸条８１により溜まった雪の落雪も防止することができる。
【００５５】
また、第１実施形態に係る透光パネル１の枠構造によれば、溶解物受け部８０ｂが平坦面からなり、下枠本体５０の上面と面一となっているので、降水が段差で堰き止められて溜まることがなく、張出部材本体８０の端部から排水することができる。また、段差がなく面一となっているため、砂や飛来粉塵が風等で飛ばされ易く、張出部材８や下枠５上に溜まりにくくなっている。
【００５６】
［第２実施形態］
次に、図８を用いて、本発明の第２実施形態に係る透光パネルの下枠構造について説明する。本発明の第２実施形態に係る透光パネルの下枠構造が前述の第１実施形態に係る透光パネルの下枠構造と相違する点は、主に、張出部材８’と下枠５の嵌合構造である。よって、その点について主に説明し、同一構成は同一符号を付し説明を省略する。
【００５７】
図８は、第２実施形態に係る透光パネルの下枠構造を示す鉛直部分端面図である。第２実施形態に係る下枠５は、前述の第１実施形態に係る下枠５と略同構成となっているが、嵌合機構として、前述の嵌合溝５６ではなく、断面円弧状の円弧凹溝５７と、下枠本体５０の外側面の中腹に嵌合溝５８と、が形成されている。
【００５８】
また、下枠本体５０の外側の縁には、下枠５の外側面から水平方向外側に張り出して透光板Ｇ１の一部又は全部が溶解した際の溶解物の枠外への流出を防止する張出部材８’が設けられている。
【００５９】
この張出部材８’は、内側側面が開口した断面台形状の張出部材本体８０’と、この張出部材本体８０’の上面に形成された複数本の凸条８１，８１’と、を有している。また、張出部材本体８０’には、前述の円弧凹溝５７と嵌合する円弧状の円弧凸部８２’が形成されているとともに、前述の嵌合溝５８と嵌合する嵌合爪８３’が形成されている。
【００６０】
また、張出部材本体８０’は、下枠５と接続する一番内側の凸条８１のさらに内側の上面が溶解物を貯留する溶解物受け部８０’ｂとなっている。この溶解物受け部８０’ｂも、平坦面からなり、下枠本体５０の上面と面一となっている。このため、降水が段差で堰き止められて溜まることがなく、張出部材本体８０’の端部から排水することができる。また、段差がなく面一となっているため、砂や飛来粉塵が風等で飛ばされ易く張出部材８’や下枠５に溜まりにくい。
【００６１】
この張出部材８’と下枠５を取り付ける際は、先ず、張出部材８’の円弧凸部８２’を円弧凹溝５７に差し込み、円弧凹溝５７に案内されて張出部材８’を回転揺動する。すると、フランジ８０’ａが下枠５の外側面に当接するとともに、嵌合溝５８に嵌合爪８３’が掛け止められる仕組みとなっている。そして、下枠本体５０とフランジ８０’ａの両者のボルト孔を合わせ、下枠本体５０内に予め装着されたナットＮにボルトＢ１を挿通してボルト止めして取付作業が完了する。
【００６２】
以上説明した第２実施形態に係る透光パネルの枠構造によれば、張出部材８’と下枠５との嵌合構造が、円弧凹溝５７と円弧凸部８２’との嵌合及び嵌合溝５８と嵌合爪８３’の嵌合と２つの嵌合構造からなる。よって、前述の張出部材８’を下枠５に嵌め込む際の反対の揺動方向へ回転させないかぎり、両者の嵌合が外れることがない。このため、ボルトＢ１が経年劣化しても、張出部材８’の脱落のおそれが極めて少ない。
【００６３】
また、張出部材８’の円弧凸部８２’を円弧凹溝５７に差し込むだけで、張出部材８’の上下の位置合わせが完了し、仮置きもできる。このため、位置合わせが容易であり、一人で効率よく短時間で張出部材８’の下枠５への取付作業を行うことができる。
【００６４】
［第３実施形態］
次に、図９を用いて、本発明の第３実施形態に係る透光パネルの下枠構造について説明する。本発明の第３実施形態に係る透光パネルの下枠構造が前述の第１実施形態に係る透光パネルの下枠構想と相違する点は、主に、張出部材９の上面に凸条９１を境に段差がついている点である。よって、その点について主に説明し、同一構成は同一符号を付し説明を省略する。
【００６５】
図９は、本発明の第３実施形態に係る透光パネルの下枠構造を示す部分拡大鉛直端面図である。第３実施形態に係る下枠５は、前述の第１実施形態に係る下枠５と略同構成となっている。そして、下枠本体５０の外側の縁には、下枠５の外側面から水平方向外側に張り出して透光板Ｇ１の一部又は全部が溶解した際の溶解物の枠外への流出を防止する張出部材９が設けられている。
【００６６】
この張出部材９は、内側側面が開口した断面台形状の張出部材本体９０と、この張出部材本体９０の上面に形成された複数本の凸条９１、９１’と、を有している。また、張出部材本体９０には、内側の角部に形成された前述の嵌合溝５６と嵌合する嵌合爪９２が形成されている。また、張出部材本体９０には、横長な断面台形状の本体から下方へボルト止め用のフランジ９０ａが突き出した形状となっている。
【００６７】
この張出部材本体９０の上面は、凸条９１を境に３つの平坦面９０ｂ，平坦面９０ｃ，平坦面９０ｄが形成された３段の段差面となっている。また、張出部材本体９０には、横長な断面台形状の本体から下方へボルト止め用のフランジ９０ａが突き出した形状となっている。
【００６８】
この下枠５と接続する平坦面９０ｂが溶解物受け部となっており、下枠本体５０の上面より一段低い高さとなっている。このため、降水が段差で堰き止められて溜まることがなく、平坦面９０ｂへ流れて張出部材本体９０の長手方向の端部から排水することができる。
【００６９】
そして、平坦面９０ｃは、平坦面９０ｂより一段高く、下枠本体５０の上面と同じ高さとなっており、平坦面９０ｄは、平坦面９０ｃよりもさらに一段高くなっている。このため、平坦面９０ｂだけでなく、平坦面９０ｃや平坦面９０ｄも溶解物受け部としての機能を発揮するこができる。
【００７０】
よって、以上説明した第３実施形態に係る透光パネルの枠構造によれば、前述の作用効果に加え、透光板Ｇ１が溶解して大量の溶解物が発生した場合でも、下枠５の枠外へ溶解物が流出する事故を確実に防ぐことができる。
【００７１】
［第４実施形態］
次に、図１０を用いて、本発明の第４実施形態に係る透光パネルの下枠構造について説明する。本発明の第４実施形態に係る透光パネルの下枠構造が前述の第１実施形態に係る透光パネルの下枠構想と相違する点は、主に、張出部材１０と下枠５の嵌合構造と凸条１０１の形状である。よって、その点について主に説明し、同一構成は同一符号を付し説明を省略する。
【００７２】
図１０は、第４実施形態に係る透光パネルの下枠構造を示す鉛直部分端面図である。第４実施形態に係る下枠５は、前述の第１実施形態に係る下枠５と略同構成となっているが、嵌合機構として、前述の嵌合溝５６でなく、嵌合凹部５９が形成されている。
【００７３】
また、下枠本体５０の外側の縁には、下枠５の外側面から水平方向外側に張り出して透光板Ｇ１の一部又は全部が溶解した際の溶解物の枠外への流出を防止する張出部材１０が設けられている。
【００７４】
この張出部材１０は、内断面台形状の張出部材本体１００と、この張出部材本体１００の上面に形成された断面三角形状の複数本の凸条１０１、１０１’と、を有している。また、張出部材本体１００には、前述の嵌合凹部５９と嵌合する嵌合凸部１０２が形成されているとともに、張出部材本体１００には、横長な断面台形状の本体から下方へボルト止め用のフランジ１００ａが突き出した形状となっている。
【００７５】
また、張出部材本体１００は、下枠５と接続する一番内側の凸条１０１のさらに内側の上面が溶解物を貯留する溶解物受け部１００ｂとなっている。この溶解物受け部１００ｂも、平坦面からなり、下枠本体５０の上面と面一となっている。しかし、前述の内側の凸条８１よりも一番内側の凸条１０１の下枠５との離間距離は短くなっている。つまり、溶解物受け部１００ｂは、溶解物受け部８０ｂよりも面積が小さくなっている。
【００７６】
しかし、一番内側の凸条１０１も、下枠５と離間距離はとっているので、降水が段差で堰き止められて溜まることがなく、張出部材本体１００の端部から排水することはできる。また、段差がなく面一となっているため、砂や飛来粉塵が風等で飛ばされ易く張出部材１００や下枠５に溜まりにくい。
【００７７】
この張出部材１０を下枠５に取り付ける際は、先ず、張出部材１０の嵌合凸部１０２を嵌合凹部５９に押し当てる。すると、嵌合凸部１０２のテーパー面に案内されて嵌合凹部５９に嵌合凸部１０２が差し込まれることとなる。これにより、張出部材１０の上下の位置決めが完了する。その後、下枠本体５０とフランジ１００ａの両者のボルト孔を合わせ、下枠本体５０内に予め装着されたナットＮにボルトＢ１を挿通してボルト止めして取付作業が完了する。
【００７８】
このため、以上説明した第４実施形態に係る透光パネルの枠構造によれば、前述の作用効果に加え、仮置きはできないものの、位置決めが極めて容易で、張出部材１０の下枠５への取付作業を短時間で行うことができる。
【００７９】
以上、本発明の第１〜第４実施形態に係る透光パネルの下枠構造について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【符号の説明】
【００８０】
１：透光パネル
Ｇ１：透光板
２：パネル枠
３：縦枠
４：上枠
４０：上枠本体
４１：透光板装着溝
４２：ガスケット装着溝
５：下枠
５０：下枠本体
５１：透光板装着溝
５２：ガスケット装着溝
５６：嵌合溝
５７：円弧凹溝
５８：嵌合溝
５９：嵌合凹部
６：押縁
８，８’，９，１０：張出部材
８０，８０’，９０，１００：張出部材本体
８０ａ，８０’ａ，９０ａ，１００ａ：フランジ
８０ｂ，８０’ｂ，１００ｂ：溶解物受け部
９０ｂ，９０ｃ，９０ｄ：平坦面（溶解物受け部）
８１，８１’，９１，９１’，１０１，１０１’：凸条
８２，９２，８３’：嵌合爪
８２’：円弧凸部
１０２：嵌合凸部
８３：ビスホール
８３’：嵌合爪
８４：側面パネル（側面塞ぎ板）
Ｇｅ：ガスケット
Ｈ：支柱
Ｈａ：内フランジ
Ｎ：ナット
Ｂ１：ボルト
Ｂ２：ボルト
ＳＢ：セッティングブロック
【図１】
2020100977.tif 000003
【図２】
2020100977.tif 000004
【図３】
2020100977.tif 000005
【図４】
2020100977.tif 000006
【図５】
2020100977.tif 000007
【図６】
2020100977.tif 000008
【図７】
2020100977.tif 000009
【図８】
2020100977.tif 000010
【図９】
2020100977.tif 000011
【図１０】
2020100977.tif 000012
【図１１】
2020100977.tif 000013
【図１２】
2020100977.tif 000014